(57)【要約】【課題】  通信接続に要する時間を短縮することができ、また、通信が途切れ難い通信ネットワークを設定することができる通信ネットワーク設定装置、その制御方法、制御プログラム及び記録媒体を提供する。【解決手段】  腕時計型コントローラ１０Ａは、通信ネットワークを構成させる無線通信端末の組み合わせを記述したリストを記憶しており、このリストの中から一つの組み合わせが選択された場合に、選択された組み合わせに含まれる無線通信端末１０Ｂ、１０Ｃと無線通信を行い、これら無線通信端末１０Ａ〜１０Ｃ間で通信同期を確立させるようにした。【選択図】      図１
2005217463.tif 000002
【特許請求の範囲】
【請求項１】
他の無線通信端末と無線通信する無線通信手段と、
通信ネットワークを構成させる無線通信端末の組み合わせを記述したリストを記憶する記憶手段と、
前記リストの中から一つの前記組み合わせの選択を受け付ける指示入力手段と、
前記無線通信手段により、選択された前記組み合わせに含まれる無線通信端末と無線通信を行い、これら無線通信端末間で通信同期を確立させる通信制御手段と
を備えることを特徴とする通信ネットワーク設定装置。
【請求項２】
前記リストは、各前記組み合わせに含まれる無線通信端末に予め割り当てられた識別情報を含み、
前記通信制御手段は、選択された前記組み合わせに対応する各識別情報に基づいて前記組み合わせに含まれる無線通信端末を特定し、特定した無線通信端末間で通信同期を確立させることを特徴とする請求項１に記載の通信ネットワーク設定装置。
【請求項３】
前記リストは、各前記組み合わせに含まれる無線通信端末がマスタかスレーブかを示す主従情報を含み、
前記通信制御手段は、選択された前記組み合わせの主従情報に従ってマスタを設定することを特徴とする請求項１又は２に記載の通信ネットワーク設定装置。
【請求項４】
前記無線通信手段は、Bluetooth通信により無線通信を行うことを特徴とする請求項１乃至３のいずれかに記載の通信ネットワーク設定装置。
【請求項５】
前記通信ネットワーク設定装置は、時刻を計時する計時手段と、この計時手段により計時された時刻を表示する表示手段とを有する時計として構成されていることを特徴とする請求項１乃至４のいずれかに記載の通信ネットワーク設定装置。
【請求項６】
他の無線通信端末と無線通信を行う無線通信機能を具備し、通信ネットワークを設定する通信ネットワーク設定装置の制御方法において、
通信ネットワークを構成させる無線通信端末の組み合わせを記述したリストの中から一つの組み合わせが選択された場合に、選択された前記組み合わせに含まれる無線通信端末と無線通信を行い、これら無線通信端末間で通信同期を確立させることを特徴とする通信ネットワーク設定装置の制御方法。
【請求項７】
他の無線通信端末と無線通信を行う無線通信機能を具備し、通信ネットワークを設定する通信ネットワーク設定装置をコンピュータにより制御するための制御プログラムにおいて、
通信ネットワークを構成させる無線通信端末の組み合わせを記述したリストの中から一つの組み合わせが選択された場合に、選択された前記組み合わせに含まれる無線通信端末と無線通信を行わせ、これら無線通信端末間で通信同期を確立させることを特徴とする制御プログラム。
【請求項８】
請求項７に記載の制御プログラムを記録したことを特徴とするコンピュータ読み取り可能な記録媒体。
【発明の詳細な説明】
【技術分野】
【０００１】
本発明は、無線通信端末間の通信同期を確立させる通信ネットワーク設定装置、その制御方法、制御プログラム及び記録媒体に関する。
【背景技術】
【０００２】
従来より、無線通信ネットワーク技術の一つとしてBluetooth（登録商標）が知られている。Bluetoothでは、通信ネットワークを構築（再構築）する場合、まず、通信エリア内の全てのBluetooth対応端末を見つけるための問い合わせを行い、その後、ＳＤＰ（Service Discovery Protocol）を用いて利用可能なサービスを問い合わせた後、必要なサービスを利用可能な端末と通信同期を確立する（例えば、特許文献１）。
【特許文献１】特開２００３−１５８５２５号公報
【発明の開示】
【発明が解決しようとする課題】
【０００３】
しかしながら、通信エリア内の全ての端末に対して必要なサービスの問い合わせ等を行うため、接続に長い時間を要してしまう。一方、この種の通信ネットワークでは、ネットワーク内の一つの端末がマスタに設定され、マスタの制御の下、通信ネットワーク内の各端末（マスタ以外の端末をスレーブと呼ぶ）間の通信が実現されている。しかしながら、スレーブ間で、音声データ等のストリームデータを通信した場合、マスタとスレーブ間で同じストリームデータを通信する場合よりも途切れやすくなってしまう。
【０００４】
例えば、音楽の音声データを無線送信するプレーヤ（マスタ）と、通話の音声データを無線送信する携帯電話（スレーブ）と、ヘッドセット（スレーブ）との間で通信ネットワークが構築されている場合、プレーヤ（マスタ）の再生音をヘッドセット（スレーブ）で聞く場合は、途切れることのない音声を聞くことができる一方、携帯電話（スレーブ）とヘッドセット（スレーブ）との間では音声が途切れてしまう可能性が高い。
【０００５】
本発明は、上述した事情に鑑みてなされたものであり、通信接続に要する時間を短縮することができ、また、通信が途切れ難い通信ネットワークを設定することができる通信ネットワーク設定装置、その制御方法、制御プログラム及び記録媒体を提供することを目的としている。
【課題を解決するための手段】
【０００６】
上記課題を解決するため、本発明は、他の無線通信端末と無線通信する無線通信手段と、通信ネットワークを構成させる無線通信端末の組み合わせを記述したリストを記憶する記憶手段と、前記リストの中から一つの前記組み合わせの選択を受け付ける指示入力手段と、前記無線通信手段により、選択された前記組み合わせに含まれる無線通信端末と無線通信を行い、これら無線通信端末間で通信同期を確立させる通信制御手段とを備えることを特徴とする通信ネットワーク設定装置を提供する。この構成によれば、通信ネットワークを構成させる無線通信端末の組み合わせを記述したリストからの選択に従って、選択された組み合わせに含まれる無線通信端末と無線通信を行い、これら無線通信端末間で通信同期を確立させるので、通信接続に要する時間を短縮することができ、また、通信が途切れ難い通信ネットワークを設定することができる。
【０００７】
上記構成において、前記リストは、各前記組み合わせに含まれる無線通信端末に予め割り当てられた識別情報を含み、前記通信制御手段は、選択された前記組み合わせに対応する各識別情報に基づいて前記組み合わせに含まれる無線通信端末を特定し、特定した無線通信端末間で通信同期を確立させることが好ましい。また、前記リストは、各前記組み合わせに含まれる無線通信端末がマスタかスレーブかを示す主従情報を含み、前記通信制御手段は、選択された前記組み合わせの主従情報に従ってマスタを設定することが好ましい。また、前記無線通信手段は、Bluetooth通信により無線通信を行うように構成してもよい。また、前記通信ネットワーク設定装置は、時刻を計時する計時手段と、この計時手段により計時された時刻を表示する表示手段とを有する時計として構成してもよい。
【０００８】
また、本発明は、他の無線通信端末と無線通信を行う無線通信機能を具備し、通信ネットワークを設定する通信ネットワーク設定装置の制御方法において、通信ネットワークを構成させる無線通信端末の組み合わせを記述したリストの中から一つの組み合わせが選択された場合に、選択された前記組み合わせに含まれる無線通信端末と無線通信を行い、これら無線通信端末間で通信同期を確立させることを特徴とする。この構成によれば、通信ネットワークを構成させる無線通信端末の組み合わせを記述したリストからの選択に従って、選択された組み合わせに含まれる無線通信端末と無線通信を行い、これら無線通信端末間で通信同期を確立させるので、通信接続に要する時間を短縮することができ、また、通信が途切れ難い通信ネットワークを設定することができる。
【０００９】
また、本発明は、以上説明した通信ネットワーク設定装置及びその制御方法に適用する他、この発明を実施するための制御プログラムを電気通信回線を介して一般ユーザに配布したり、そのようなプログラムを、ＣＤ−ＲＯＭや、フロッピー（登録商標）ディスクや光記録ディスクといった、コンピュータに読み取り可能な記録媒体に格納して一般ユーザに配布する、といった態様でも実施され得る。
【発明の効果】
【００１０】
本発明は、通信ネットワークを構成させる無線通信端末の組み合わせを記述したリストの選択に従って、他の無線通信端末との間の通信同期を確立させるので、通信接続に要する時間を短縮することができ、また、通信が途切れ難い通信ネットワークを設定することができる。
【発明を実施するための最良の形態】
【００１１】
以下、図面を参照して本発明の実施形態を説明する。本実施形態では、無線通信端末の一例として、腕時計型コントローラ１０Ａ、ヘッドホン装置１０Ｂ及び携帯電話１０Ｃについて説明する。図１は、腕時計型コントローラ１０Ａ、ヘッドホン装置１０Ｂ及び携帯電話１０Ｃを示す図である。本実施形態では、これら無線通信端末１０Ａ〜１０ＣがBluetooth用の通信モジュールを内蔵することによって互いに通信可能に構成されている。但し、Bluetooth以外の他の近距離無線通信方式の通信モジュールを適用してもよい。
【００１２】
腕時計型コントローラ１０Ａは、通信可能エリアに存在する無線通信端末（自装置１０Ａを含む）の接続条件を設定することによって様々な通信ネットワークを設定する通信ネットワーク設定装置として機能する。また、本実施形態では、この腕時計型コントローラ１０Ａは、音楽データを再生して音声信号を無線送信するプレーヤ機能と、時刻を計時して表示する時計機能とをさらに具備しており、単独で腕時計としても使用可能である。
【００１３】
図１に示すように、この腕時計型コントローラ１０Ａは、各種電気部品を内蔵する本体ケース１１と、ユーザの身体（腕）に装着するためのバンド１２とから概略構成されている。また、本体ケース１１には、各種情報を表示する表示部１３と、複数の操作子１４が設けられる。
【００１４】
図２は、腕時計型コントローラ１０Ａの機能構成を示すブロック図である。
腕時計型コントローラ１０Ａにおいて、通信モジュール（無線通信手段）２０は、Bluetoothの規格に従って他の無線通信端末（１０Ｂ、１０Ｃ等）と無線通信するためのものである。制御部（通信制御手段）２１は、腕時計型コントローラ１０Ａ全体を制御するコンピュータとして機能するものであり、ＣＰＵ（Central Processing Unit）等で構成されている。記憶部２２は、制御部２１が実行する通信ネットワーク設定用プログラムや音楽再生用プログラム等の各種制御プログラムや音楽データの他に、複数種類の通信ネットワーク設定用のリスト３０や、自装置１０Ａを識別するための識別情報が記憶されている。
【００１５】
また、計時部２３は、時刻を計時するものであり、発振回路、クロックカウンタ及びレジスタ等から構成される。また、表示部１３は、制御部２１の制御の下、計時部２３で計時された時刻や各種情報を表示するものであり、例えば、液晶表示パネルや液晶駆動回路等から構成される。操作入力部（指示入力部）２４は、操作子１４の操作を検出して検出結果を制御部２１に出力するものであり、通信インターフェース（通信Ｉ／Ｆ）２５は、パーソナルコンピュータ（ＰＣ）等の外部機器との間でケーブルを介して音楽データ等をデータ通信するためのものである。
【００１６】
図３は、リスト３０の一例を示す図である。このリスト３０は、通信ネットワークを構成させる無線通信端末の組み合わせ等の接続条件を記述した情報であり、本実施形態ではテーブル形式で記憶されている。より具体的には、リスト３０は、接続条件を示す情報として、接続する無線通信端末（１０Ａ〜１０Ｃ）の組み合わせを示す組み合わせ情報と、この組み合わせ情報に含まれる無線通信端末（１０Ａ〜１０Ｃ）のいずれがマスタかスレーブかを示す主従情報とが記述されている。ここで、本実施形態では、組み合わせ情報として、各組み合わせに係る無線通信端末（１０Ａ〜１０Ｃ）に予め割り当てられている識別情報（ＩＤ１〜ＩＤ３）を用いている。なお、図示の例では、マスタに設定する無線通信端末の識別情報を○で囲んで示している。
【００１７】
図４は、ヘッドホン装置１０Ｂの外観を示す図である。ヘッドホン装置１０Ｂは、腕時計型コントローラ１０Ａや携帯電話１０Ｃ等の外部機器から無線送信された音声信号を受信し、対応する音声をスピーカユニットから放音するものである。
【００１８】
図示のように、このヘッドホン装置１０Ｂは、いわゆるネックタイプ（ネックホルダタイプとも言う。）のワイヤレスヘッドセットとして構成され、右耳用のスピーカユニット４０Ｒ、左耳用のスピーカユニット４０Ｌと、使用者の首の後ろを通った状態で両端が各スピーカユニット４０Ｒ、４０Ｌに連結される連結体４１と、使用者が発した音声を集音するマイク４２と、外部から音声信号を無線受信してこれらスピーカユニット４０Ｒ、４０Ｌを駆動する制御ユニット４３とから構成されている。なお、ヘッドホン装置１０Ｂは、マイク４２を具備しないワイヤレスヘッドホンとして構成してもよい。
【００１９】
連結体４１は、樹脂等の非金属材料で形成され、略矩形断面に形成されている。また、図５に示すように、この連結体４１には、スピーカユニット４０Ｒとスピーカユニット４０Ｌとの間の内側（使用者側）領域全体に渡って、各スピーカユニット４０Ｒ、４０Ｌ及びマイク４２と電気的に接続された複数本の導通ライン部（導通部）５０が露出して設けられている。
【００２０】
この導通ライン部５０は、裸導線若しくは棒状又は板状の金属材料で形成され、本実施形態では４本の導通ライン部５０１〜５０４が設けられている。ここで、この導通ライン部５０１〜５０４のうち、導通ライン部５０１は一端がスピーカユニット４０ＲのＨｉ側に接続されており、導通ライン部５０２の一端はスピーカユニット４０ＬのＨｉ側に接続されている。また、導通ライン部５０３の一端はマイク４２に接続されている。また、導通ライン部５０４は、ＧＮＤラインとして機能するものであり、スピーカユニット４０Ｒ、４０Ｌ及びマイク４２のＧＮＤ側に接続されている。
【００２１】
制御ユニット４３は、外装ケース４３Ａ内に、上記した通信モジュール２０と同様の通信モジュール、自装置１０Ｂを識別するための識別情報（ＩＤ２）等を記憶する記憶部、外部から受信した音声信号を増幅して各スピーカユニット４０Ｒ、４０Ｌの駆動信号を生成するためのアンプ回路、充電回路等の電気部品及び電源が配置されている。図４に示すように、外装ケース４３Ａは、連結体４１に引っ掛けられて当該制御ユニット４３の重量を支える引っ掛け部４３Ｂが左右に一体的に形成されると共に、図６のＸ−Ｘ断面図を示すように、外装ケース４３Ａに対して軸Ｃを中心に回動可能に連結されたコンタクト部４３Ｄが設けられる。
【００２２】
ここで、引っ掛け部４３Ｂは、外装ケース４３Ａが連結体４１から脱落するのを防止可能な範囲で多少のがたをもった状態で連結体４１に係合しており、コンタクト部４３Ｄを図中α方向に回動させた状態では、外装ケース４３Ａを連結体４１に沿って図中Ｙ方向にスライド移動することが可能となっている（図４参照）。なお、このスライド移動量は約２０ｃｍ程度とすることが好ましい。
【００２３】
図６に示すように、コンタクト部４３Ｄは、このコンタクト部４３Ｄを図中矢印β方向に回動していくと、図示しないラッチ機構（若しくは付勢部材）によって連結体４１と当接した状態に保持される。この場合、コンタクト部４３Ｄと外装ケース４３Ａとの間に連結体４１が挟持され、制御ユニット４３のスライド移動を規制でき、制御ユニット４３を位置決めすることができる。すなわち、コンタクト部４３Ｄを図中α方向に回動させることで制御ユニット４３の位置を変更可能にすることができ、また、コンタクト部４３Ｄを図中矢印β方向に回動させることで制御ユニット４３の位置を所望の位置に位置決めすることができる。
【００２４】
さらに、コンタクト部４３Ｄにおける連結体４１の上記導通ライン部５０１〜５０４と接する面には、各導通ライン部５０１〜５０４と個別に接する複数の金属接点６０１〜６０４が設けられている。この金属接点（導通接点）６０１〜６０４は、コンタクト部４３の内部に通された電気配線を介して制御ユニット４３内の電気部品と接続されている。従って、このコンタクト部４３Ｄを図中矢印β方向に回動することで、制御ユニット４３の位置を位置決めすると共に、スピーカユニット４０Ｒ、４０Ｌ及びマイク４２と、制御ユニット４３内の電気部品とを電気的に接続することができるようになっている。これにより、制御ユニット４３から出力される駆動信号をスピーカユニット４０Ｒ、４０Ｌに出力することができる。
【００２５】
また、図４に示すように、外装ケース４３Ａの一部には、汎用の電池、例えば単４電池タイプの充電電池用の電池ケース４３Ｅが設けられ、制御ユニット４３は、この電池ケース４３Ｅに装着された電池の電力を電源電力としている。また、制御ユニット４３には図示せぬ位置に外部インターフェースが設けられ、この外部インターフェースを介して外部から電力が供給された場合は、この外部電力で動作し、また、この電力で充電電池を充電することもできる。
【００２６】
携帯電話１０Ｃは、上記通信モジュール２０と同様の通信モジュールを内蔵し、通話時に通信モジュールを用いてヘッドホン装置１０Ｂとの間で音声信号の通信を行う機能を具備する点を除いて従来の携帯電話とほぼ同様の構成であるため、詳細な説明は省略する。
【００２７】
次いで、腕時計型コントローラ１０Ａを用いて通信ネットワークを設定する場合の動作を説明する。ここで、リスト３０の選択は、使用者が腕時計型コントローラ１０Ａの操作子１４を操作することにより行う。以下、「リスト１」（図３参照）が選択された場合を例に説明する。
【００２８】
図７は、通信ネットワーク設定処理を示すフローチャートである。まず、腕時計型コントローラ１０Ａにおいて、制御部２１は、記憶部２２に記憶されたリスト３０を参照して、「リスト１」に含まれる識別情報の無線通信端末が通信可能エリアに存在するか否かを検索する（ステップＳ１）。例えば、制御部２１は、通信可能エリアの無線通信端末に対して識別情報の送信要求を送信し、この送信要求を受信した無線通信端末から送信された識別情報が「リスト１」に記述された識別情報と一致する否かを判定することにより「リスト１」に含まれる無線通信端末かを特定する。
【００２９】
次いで、制御部２１は、「リスト１」に記述された識別情報と一致する識別情報を受信した場合、つまり、リスト１に含まれる無線通信端末（例えば、ヘッドホン装置１０Ｂ）が存在すると判定した場合は（ステップＳ２：YES）、その識別情報を送信した無線通信端末（ヘッドホン装置１０Ｂ）と通信同期を確立する処理を行う（ステップＳ３）。具体的には、Bluetoothの規格に従った方式、つまり、ピコネット内同期を図るために、スレーブ（ヘッドホン装置１０Ｂ）がマスタ（腕時計型コントローラ１０Ａ）のBluetoothクロックを参照することによってマスタと同期するように一定のオフセット値（クロックオフセット）を自分のクロックに与え、マスタとスレーブがそれぞれの時間スロットに共通のスロット番号付けをつける処理が適用される。これにより、腕時計型コントローラ１０Ａとヘッドホン装置１０Ｂとの同期が確立する。
【００３０】
そして、制御部２１は、「リスト１」に含まれる全ての無線通信端末（ヘッドホン装置１０Ｂ）を検索したか否かを判定する（ステップＳ４）。そして、検索していない場合は、上記ステップＳ１〜ステップＳ３の処理を繰り返し、検索済みの場合は、制御部２１は、使用者に対して処理結果を報知する処理を行う（ステップＳ５）。具体的には、制御部２１は、通信同期を確立できない無線通信端末があった場合は、その旨（例えば、「ヘッドセット装置接続不可能」といったメッセージ）を表示部１３に表示させる。これに対し、「リスト１」に含まれる全ての無線通信端末と通信同期が確立した場合、制御部２１は、その旨（「通信同期確立完了」又は、「通信ネットワーク設定完了」といったメッセージ）を表示部１３に表示させる。これにより、使用者は、通信ネットワーク（接続条件）が自身が選択したものに設定されたか否かを容易に知ることができる。
【００３１】
ここで、リスト３０から選択された接続条件が、腕時計型コントローラ１０Ａをマスタに設定する条件でない場合（例えば、「リスト２」が選択された場合は携帯電話１０Ｃがマスタ）等は、制御部２１は、Bluetoothの規格に従ったマスタ・スレーブ変換処理を実施する。これらにより、選択された接続条件に合致した通信ネットワークが設定されることとなる。
【００３２】
このように選択されたリストに従って通信ネットワークを再構築することで、以下の利点がある。例えば、「リスト１」に従って通信ネットワークを設定した場合は、腕時計型コントローラ１０Ａをマスタ、ヘッドホン装置１０Ｂをスレーブとした通信ネットワークが構成されるため（図３参照）、他の無線通信端末（例えば携帯電話１０Ｃ）が近くに存在しても、腕時計型コントローラ１０Ａとヘッドホン装置１０Ｂとの間の通信が邪魔されることがない。従って、腕時計型コントローラ１０Ａから音声信号を無線送信させてヘッドホン装置１０Ｂでその音声をリアルタイム再生しても、その音声が途切れることがない。
【００３３】
また、「リスト２」に従って通信ネットワークを設定した場合は、携帯電話１０Ｃをマスタ、ヘッドホン装置１０Ｂと腕時計型コントローラ１０Ａとをスレーブとするため（図３参照）、携帯電話１０Ｃ（マスタ）とヘッドホン装置１０Ｂ（スレーブ）との間の通信を途切れ難くすることができる。これにより、ヘッドホン装置１０Ｂを用いて携帯電話１０Ｃを介した音声通話（電話）を行う場合に、その通信を途切れ難くすることができる。従って、使用者は、腕時計型コントローラ１０Ａを用いて音楽を視聴する場合は「リスト１」の通信ネットワークに設定し、電話の場合は「リスト２」の通信ネットワークに設定することにより、音声や通話の途切れを事前に回避することが可能となる。
【００３４】
以上説明したように、本実施形態によれば、腕時計型コントローラ１０Ａは、通信ネットワークを構成させる無線通信端末の組み合わせを記述したリスト３０から選択された接続条件に従って、他の無線通信端末との間の通信同期を確立させるので、使用者の目的に応じて通信が途切れにくい通信ネットワークを構築することが可能となる。また、選択されたリストに従って特定の無線通信端末と通信同期をとるので、通信可能エリアにある全ての無線通信端末と通信同期をとる場合に比して通信接続に要する時間を大幅に短縮することができる。また、通信接続に要する時間が短縮化されることにより、結果として消費電力を低減することができ電池寿命を延ばすことができる。また、本実施形態では、接続先の無線通信端末を識別情報に基づいて特定しているので、ＳＤＰ（Service Discovery Protocol）を用いて利用可能なサービスを問い合わせる処理等を省略することもできる。
【００３５】
さらに、本実施形態のヘッドホン装置１０Ｂは、通信モジュールや電源等を配置した制御ユニット４３を、スピーカユニット４０Ｒ、４０Ｌを連結する連結体４１に設けているので、制御ユニット４３をヘッドホン装置１０Ｂの装着者の後ろに位置させることができ、制御ユニット４３をさほど小型化しなくても外から目立たなくすることができる。これにより、スピーカユニット４０Ｒ、４０Ｌを含むイヤホン部の外観をシンプルな外観に保つことができ、かつ、制御ユニット４３に通信モジュールや電源の配置スペースを十分確保することが容易となる。しかも、このヘッドホン装置１０Ｂは、制御ユニット４３を連結体４１にスライド可能に設けているので、ヘッドホン装置１０Ｂの装着者の髪等の邪魔にならない位置に制御ユニット４３を配置することができる。
【００３６】
なお、上述した実施形態は、あくまで本発明の一態様に過ぎず、本発明の範囲内で任意に変形が可能である。例えば、上述した実施形態では、ヘッドホン装置１０Ｂの連結体４１に導通ライン部５０１〜５０４を設けると共に、制御ユニット４３のコンタクト部４３Ｄに上記導通ライン部５０と接する金属接点６０１〜６０４を設ける場合について述べたが、ヘッドホン装置１０Ｂの連結体４１にスピーカユニット４０Ｒ、４０Ｌやマイク４２からのワイヤを配設し、制御ユニット４３に、当該制御ユニット４３と、スピーカユニット４０Ｒ、４０Ｌやマイク４２との間のワイヤをたるみなく巻き取り／送り出す巻取機構（ワイヤ長調整手段）２００を設けるようにしてもよい。
【００３７】
ここで、図８は、巻取機構２００を備えた制御ユニット４３１の一例をその周辺構成と共に示す図であり、図９は図８の側断面図である。なお、この図８及び図９においては、マイク４２を具備しないヘッドホン装置１０Ｂの場合を示している。なお、この図において、上記した制御ユニット４３とほぼ同様の構成は同一の符号を付して説明を省略する。
【００３８】
巻取機構２００は、制御ユニット４３１に設けられ、スピーカユニット４０Ｒ、４０Ｌからのワイヤ２０１Ｌ、２０１Ｒを巻き取るボビン（不図示）を内蔵すると共に、このボビンと連結された巻取用つまみ２１０を有している。ここで、図９に示すように、連結体４１１は中空形状に形成され、この中空部分にワイヤ２０１Ｌ、２０１Ｒが挿通されるようになっている。また巻取機構２００には、ワイヤ２０１Ｌ、２０１Ｒを巻取機構２００内に円滑に導くためのガイド２２０が形成されている。
【００３９】
以上の構成の下、使用者が巻取用つまみ２１０を指で一方向に回すとボビンが回転してワイヤ２０１Ｒを巻き取ると共に、このワイヤ２０１Ｒの巻き取り長さと略同じ長さだけ、ボビンに予め巻き取られているワイヤ２０１Ｌを送り出し、さらに、このワイヤ２０１Ｒの巻き取り量（＝ワイヤ２０１Ｒの送り出し量）だけ制御ユニット４３が連結体４１の矢印Ｙ１方向に移動する。一方、巻取用つまみ２１０を反対方向に回すとワイヤ２０１Ｌを巻き取ると共に、このワイヤ２０１Ｌの巻き取り長さと略同じ長さだけボビンに予め巻き取られているワイヤ２０１Ｒを送り出し、この巻き取り量（＝送り出し量）だけ、制御ユニット４３が連結体４１の矢印Ｙ２方向に移動する。これにより、ヘッドホン装置１０Ｂの使用者は、巻取用つまみ２１０を操作することによって、制御ユニット４３１をスライド移動できると共に、各スピーカユニット４０Ｒ、４０Ｌと制御ユニット４３１との間のワイヤ２０１Ｌ、４０Ｒをたるみが無い状態に調整することができる。なお、図８及び図９において、符号２３０は充電電池を示している。
【００４０】
また、上述の各実施形態において、ヘッドホン装置１０Ｂの制御ユニット４３、４３１に音量調整用の操作子を設け、この操作子の操作により音量レベルを指示する情報を、このヘッドホン装置１０Ｂに音声信号を無線送信する無線通信端末に無線送信するようにしてもよい。これにより、音声信号を無線送信する無線通信端末が指示された音量レベルの音声信号を送信できるため、ヘッドホン装置１０Ｂ側の操作だけで音量調整を行うことが可能となる。
【００４１】
また、上述の実施形態においては、腕時計型コントローラ１０Ａを通信ネットワーク設定装置として機能させる場合について説明したが、様々な無線通信端末を通信ネットワーク設定装置として広く適用することができる。また、上述の実施形態では、通信ネットワークを設定するための制御プログラムを腕時計型コントローラ１０Ａの記憶部２２に予め記憶しておく場合について説明したが、この制御プログラムを、磁気記録媒体、光記録媒体、半導体記録媒体等のコンピュータが読み取り可能な記録媒体に格納し、コンピュータが記録媒体からこの制御プログラムを読み取って実行するようにしてもよい。また、この制御プログラムを通信ネットワーク上の配信サーバ等からダウンロードできるようにしてもよい。
【図面の簡単な説明】
【００４２】
【図１】本発明の実施形態に係る腕時計型コントローラ、ヘッドホン装置及び携帯電話を示す図である。
【図２】腕時計型コントローラの機能構成を示すブロック図である。
【図３】リストの一例を示す図である。
【図４】ヘッドホン装置の外観を示す図である。
【図５】連結体の説明に供する図である。
【図６】ヘッドホン装置の断面を示す図である。
【図７】通信ネットワーク設定処理を示すフローチャートである。
【図８】変形例の説明に供する図である。
【図９】図８の側断面図である。
【符号の説明】
【００４３】
１０Ａ…腕時計型コントローラ、１０Ｂ…ヘッドホン装置、１０Ｃ…携帯電話、１３…表示部、２０…通信モジュール、２１…制御部、２２…記憶部、２３…計時部、２４…操作入力部、４０Ｌ、４０Ｒ…スピーカユニット、４１、４１１…連結体、４２…マイク、４３…制御ユニット、４３Ａ…外装ケース、４３Ｂ…引っ掛け部、４３Ｄ…コンタクト部、５０、５０１〜５０４…導通ライン部、６０１〜６０４…金属接点。
【図１】
2005217463.tif 000003
【図２】
2005217463.tif 000004
【図３】
2005217463.tif 000005
【図４】
2005217463.tif 000006
【図５】
2005217463.tif 000007
【図６】
2005217463.tif 000008
【図７】
2005217463.tif 000009
【図８】
2005217463.tif 000010
【図９】
2005217463.tif 000011